(57)【要約】【課題】地震発生等において薄型テレビの前後両方向の揺れに対して確実に転倒防止を図ると共に製品価格が安価であり、配置変更や機種変更に伴う取付けも容易且つ迅速に行える、薄型テレビ用転倒防止具を得る。【解決手段】伸縮自在且つ任意の長さにその長さを保持することができる、伸縮ポールおよび固定ポールよりなる支持ポールにおいて、伸縮側である伸縮ポールの先端部には薄型テレビの背面にある壁掛け金具取付けネジ部と固定するための先端側ネジ固定板を配設し、固定側である固定ポールの後端部には薄型テレビを載せたテレビ台または薄型テレビの後面の壁に配設した固定金具と回動自在に固定するための後端側ネジ固定板を配設し、前記先端側ネジ固定板と薄型テレビならびに後端側ネジ固定板と固定金具とをそれぞれ固定した後、薄型テレビが前記支持ポールにて支持されるべく伸縮ポールの長さ調節および保持固定する。【選択図】図１
0003152510.tif 000002
【実用新案登録請求の範囲】
【請求項１】
伸縮自在且つ任意の長さにその長さを保持することができる、伸縮ポールおよび固定ポールよりなる支持ポールにおいて、伸縮側である伸縮ポールの先端部には薄型テレビの背面にある壁掛け金具取付けネジ部と固定するための先端側ネジ固定板を配設し、固定側である固定ポールの後端部には薄型テレビを載せたテレビ台または薄型テレビの後面の壁に配設した固定金具と回動自在に固定するための後端側ネジ固定板を配設し、前記先端側ネジ固定板と薄型テレビならびに後端側ネジ固定板と固定金具とをそれぞれ固定した後、薄型テレビが前記支持ポールにて支持されるべく伸縮ポールの長さ調節および保持固定することにより、当該薄型テレビの前後両方向の揺れに対する転倒防止を図る構造としたことを特徴とする、薄型テレビ用転倒防止具。
【考案の詳細な説明】
【技術分野】
【０００１】  本考案は、地震発生時等において大画面を有したプラズマテレビや液晶テレビ等の薄型テレビの転倒を防止するための、薄型テレビ用転倒防止具に関するものである。
【背景技術】
【０００２】  近年におけるテレビの形状は、テレビ放送のデジタル化やハイビジョン化に伴う高画質高細精化により、ブラウン管テレビから大画面を有したプラズマテレビや液晶テレビ等の薄型テレビに移行している。該薄型テレビの設置方法として、一般家庭ではローボード等の上に載せたり、テレビ台を畳やフローリング等に設置してその上に載せている。【０００３】  上記薄型テレビの底面積は、従来のブラウン管テレビの底面積に比べ非常に狭く、専用取付け台に取付けられた状態であっても重心が高くなるため、転倒し易いという問題点があった。また、地震発生時等における薄型テレビの転倒方向として、視聴者側すなわち前方に転倒することが危惧されるため、非常に危険であるという問題点もあった。このため、地震発生時等において薄型テレビがテレビ台より転倒するのを防止するための転倒防止具として、本願出願人による実用新案登録第３１３１３７４号公報において、薄型テレビの背面にある壁掛け金具取付けネジ部にワイヤの一端部を保持するための固定金具をボルトにて固定すると共に、該薄型テレビの後面の壁又は薄型テレビを載せたテレビ台にレールを設置し当該レールに固定したワイヤ保持装置に前記ワイヤの他端部を挿着して張架することにより転倒防止を図る転倒防止具を提案した。また、実用新案登録第３１４６６７４号公報において、薄型テレビの背面にある壁掛け金具取付けネジ部にワイヤ保持装置を固定するための金具をボルトにて固定すると共に、該薄型テレビの後面の壁又は薄型テレビを載せたテレビ台にポール受金具を金具にて固定し、ワイヤを挿通した伸縮自在なワイヤ支持ポールを前記ポール受金具に回動自在に固定し、該ワイヤ支持ポールの先端部を前記ワイヤ保持装置の先端部に押し当てて張架することにより転倒防止を図る転倒防止具を提案した。【０００４】
【特許文献１】実用新案登録第３１３１３７４号
【特許文献２】実用新案登録第３１４６６７４号
【考案の開示】
【考案が解決しようとする課題】
【０００５】  しかしながら、上記実用新案登録第３１３１３７４号公報に記載の転倒防止具において、転倒方向として、視聴者側すなわち前方に転倒することの防止を目的としており、後方に転倒することの防止は考慮していなかった。地震発生時等において薄型テレビの前後方向に揺れが発生した場合、転倒防止を考慮していない後方側の揺れは増強されて前方側に掛かるため、前方側のみの転倒防止だけでは十分とは言えず、確実な転倒防止を図るためには薄型テレビの前後両方向の揺れに対する転倒防止が要求されていた。また、上記実用新案登録第３１４６６７４号公報に記載の転倒防止具においては、前記実用新案登録第３１４６６７４号公報における問題点を解決することはできたが、転倒防止具を構成するポール支持金具やポール受金具およびワイヤ保持装置等の精密部品の価格が高価であるため、製品価格が高くなってしまうという問題点があった。【０００６】  本考案は、上記問題点を解決するために成されたものであり、地震発生等において大画面を有したプラズマテレビや液晶テレビ等の薄型テレビの前後両方向の揺れに対して確実に転倒防止を図ることができると共に製品価格が安価であり、さらには上記実用新案登録第３１３１３７４号公報記載の特徴である薄型テレビの配置変更や機種変更に伴う取付けの容易性および迅速性を踏襲した、薄型テレビ用転倒防止具を提供することを目的とする。
【課題を解決するための手段】
【０００７】  上記課題を解決するため、本考案の薄型テレビ用転倒防止具は、伸縮自在且つ任意の長さにその長さを保持することができる、伸縮ポールおよび固定ポールよりなる支持ポールにおいて、伸縮側である伸縮ポールの先端部には薄型テレビの背面にある壁掛け金具取付けネジ部と固定するための先端側ネジ固定板を配設し、固定側である固定ポールの後端部には薄型テレビを載せたテレビ台または薄型テレビの後面の壁に配設した固定金具と回動自在に固定するための後端側ネジ固定板を配設し、前記先端側ネジ固定板と薄型テレビならびに後端側ネジ固定板と固定金具とをそれぞれ固定した後、薄型テレビが前記支持ポールにて支持されるべく伸縮ポールの長さ調節および保持固定することにより、当該薄型テレビの前後両方向の揺れに対する転倒防止を図る構造とする。
【考案の効果】
【０００８】  本考案の薄型テレビ用転倒防止具を用いて大画面を有したプラズマテレビや液晶テレビ等の薄型テレビの転倒防止を図るようにすれば、薄型テレビと当該薄型テレビを載せたテレビ台または薄型テレビの後面の壁との間に設置した伸縮ポールおよび固定ポールよりなる支持ポールにて支持されるため、前方側への転倒防止は勿論のこと後方側への転倒防止も図ることができる。したがって、地震発生等において大画面を有したプラズマテレビや液晶テレビ等の薄型テレビの前後両方向の揺れに対して確実に転倒防止を図ることができるという効果を奏する。また、薄型テレビの背面にある壁掛け金具取付けネジ部と固定するための先端側ネジ固定板や薄型テレビを載せたテレビ台または薄型テレビの後面の壁に配設した固定金具と回動自在に固定するための後端側ネジ固定板は構造が簡単なため、製品価格を安価に提供することができるという効果を奏する。さらには、前記後端側ネジ固定板は、前記テレビ台または壁に予め配設された固定金具に固定する方式のため、薄型テレビの配置変更や機種変更に伴う取付けが容易および迅速にできるという効果も奏する。
【考案を実施するための最良の形態】
【０００９】  本考案を実施するための最良の形態を図を用いて説明する。【００１０】  図１は本考案の薄型テレビ用転倒防止具の一実施例の構成図であり、伸縮自在且つ任意の長さにその長さを保持することができる、伸縮ポール３および固定ポール２よりなる支持ポールにおいて、伸縮側である伸縮ポール３の先端部には薄型テレビの背面にある壁掛け金具取付けネジ部（図示せず）と固定するための先端側ネジ固定板５を配設し、固定側である固定ポール２の後端部には薄型テレビを載せたテレビ台２２または薄型テレビの後面の壁に配設した固定金具２３と回動自在に固定するための後端側ネジ固定板８を配設し、前記先端側ネジ固定板５と薄型テレビならびに後端側ネジ固定板８と固定金具２３とをそれぞれ固定した後、薄型テレビが前記支持ポールにて支持されるべく伸縮ポール３の長さ調節および保持固定する。【００１１】  図２は図１における支持ポールの先端部構成図であり、（ａ）は伸縮ポール３の先端部構成を示し、（ｂ）は固定ポール２の後端部構成を示している。また、図３は本考案の薄型テレビ用転倒防止具の一実施例の外形図であり、（ａ）は正面図、（ｂ）は側面図である。両図に示すように、薄型テレビの背面にある壁掛け金具取付けネジ部と固定する上記先端側ネジ固定板５は、伸縮ポール３の先端部に固定した先端側ポール挟持金具４から延長している連結板１２の先に蝶番１３を介して連結される。該先端側ポール挟持金具４は、伸縮ポール３の径より僅かに太い径を有した円筒形の挟持体１１を有し、前記連結板１２の反対側に設けた締着部をネジ２０にて締着することにより伸縮ポール３の先端部に固定される。また、薄型テレビを載せたテレビ台２２または薄型テレビの後面の壁に配設した固定金具２３と回動自在に固定する上記後端側ネジ固定板８は、固定ポール２の後端部に固定した後端側ポール挟持金具７から延長している連結板１５の先に蝶番１６を介して連結される。該後端側ポール挟持金具７は、固定ポール２の径より僅かに太い径を有した円筒形の挟持体１４を有し、前記連結板１５の反対側に設けた締着部をネジ２０にて締着することにより固定ポール２の後端部に固定される。【００１２】  上記先端側ネジ固定板５には、薄型テレビの背面にある壁掛け金具取付けネジ部と固定するための穴６が穿孔される。該穴６は、前記薄型テレビの背面にある壁掛け金具取付けネジ部の大きさに応じて、Ｍ４，Ｍ５の場合には小さめの穴６ａを使い、Ｍ６，Ｍ８の場合には大きめの穴６ｂを使うように選択でき、僅かに重なり合って穿孔され、ボルト２１にて固定することができる。【００１３】  上記後端側ネジ固定板８には、薄型テレビを載せたテレビ台２２または薄型テレビの後面の壁に配設した固定金具と回動自在に固定するための穴９が穿孔される。図２の（ｂ）における固定金具２３は、固定ナット２４を挿入した断面がＣ字型のレールを使用し、前記穴９に挿入したボルト２６を前記固定ナット２４のネジ穴２５に螺着して固定する。該図ではボルト２６による固定箇所を２箇所で示したが、特に限定するものではない。また、固定ナット２４もボルト２６に対応して個々に示したが、連結したものであっても構わない。【００１４】  また、図３に示すように、伸縮ポール３の伸縮長さの調節は、固定ポール２内に具備された螺旋機構（図示せず）により前記伸縮ポール３を回転させて行うことができる。伸縮長さの調節を行った後、伸縮ポール３および固定ポール２よりなる支持ポールの長さを保持するため、該伸縮ポール３と固定ポール２の連結部に連結部ポール挟持金具１０を挿着して固定する。該連結部ポール挟持金具１０の伸縮ポール３側には当該伸縮ポール３の径より僅かに太い径を有した円筒形の挟持体１８を有すると共に、固定ポール２側には当該固定ポール２の径より僅かに太い径を有した円筒形の挟持体１７を有し、該挟持体１８と挟持体１７は連結板１９にて連結される。そして、前記連結板１２の反対側に設けた個々の締着部をネジ２０にて締着することにより、伸縮ポール３と固定ポール２はその長さを保持して固定される。
【実施例】
【００１５】  図４は本考案の薄型テレビ用転倒防止具の一実施例におけるテレビ台への固定方法を示した側面図であり、薄型テレビ２７をテレビ台２２に固定する方法を示している。この場合、先ず、薄型テレビ２７を載せたテレビ台２２の後端部に配設されたＣ字型レール状の固定金具２３内の固定ナット２４と固定ポール２の後端部に配設された後端側ネジ固定板８とをボルト２６にて固定する。前記Ｃ字型レール状の固定金具２３は、予めメーカーよりテレビ台２２に埋設した状態を示している。次に、伸縮ポール３を回転させながら、薄型テレビ２７の背面にある壁掛け金具取付けネジ部（図示せず）と伸縮ポール３の先端部に配設された先端側ネジ固定板５とをボルト２１にて固定できるように長さ調節を行ない、最適な長さとなったところで前記伸縮ポール３と固定ポール２の連結部に挿着された連結部ポール挟持金具１０にてその長さを保持して固定する。その後、前記伸縮ポール３の先端部に配設された先端側ネジ固定板５と壁掛け金具取付けネジ部とをボルト２１にて固定する。以上により、本考案の薄型テレビ用転倒防止具１を薄型テレビ２７の背面にある壁掛け金具取付けネジ部とテレビ台２２に埋設した固定金具２３に固定することができるため、当該薄型テレビの前後両方向の揺れに対する転倒防止を図ることができる。【００１６】  なお、図６は本考案の薄型テレビ用転倒防止具の一実施例におけるテレビ台への使用形態を示した図であり、薄型テレビ用転倒防止具１を構成する伸縮ポール３の先端部に配設した先端側ネジ固定板５を薄型テレビ２７の背面にある左右２箇所の壁掛け金具取付けネジ部に固定し、固定ポール２の後端部に配設した後端側ネジ固定板８をテレビ台２２に埋設された固定金具２３に固定し、左右の薄型テレビ用転倒防止具１が平行状態で薄型テレビ２７を支持している状態を示している。【００１７】  次に、図５は本考案の薄型テレビ用転倒防止具の一実施例における壁への固定方法を示した側面図であり、薄型テレビ２７を壁３０に固定する方法を示している。この場合、先ず、薄型テレビ２７の後面の壁３０に配設したＣ字型レール状の固定金具２３内の固定ナット２４と固定ポール２の後端部に配設された後端側ネジ固定板８とをボルト２６にて固定する。前記Ｃ字型レール状の固定金具２３は、後付けのため壁３０の表面に固定された状態を示している。次に、伸縮ポール３を回転させながら、薄型テレビ２７の背面にある壁掛け金具取付けネジ部（図示せず）と伸縮ポール３の先端部に配設された先端側ネジ固定板５とをボルト２１にて固定できるように長さ調節を行ない、最適な長さとなったところで前記伸縮ポール３と固定ポール２の連結部に挿着された連結部ポール挟持金具１０にてその長さを保持して固定する。その後、前記伸縮ポール３の先端部に配設された先端側ネジ固定板５と壁掛け金具取付けネジ部とをボルト２１にて固定する。以上により、本考案の薄型テレビ用転倒防止具１を薄型テレビ２７の背面にある壁掛け金具取付けネジ部と後面の壁３０に配設した固定金具２３に固定することができるため、当該薄型テレビの前後両方向の揺れに対する転倒防止を図ることができる。【００１８】  また、図７は後端側ポール挟持金具を固定す���一実施例の固定金具の外形図であり、（ａ）は正面図、（ｂ）は側面図である。該固定金具３２は、側面がＬ字型の上側押え金具３３と下側押え金具３４を重ね合わせ、前記上側押え金具３３の下部に設けられたネジ穴３５に、下側押え金具３４に開けられた縦長穴（図示せず）より蝶ネジ３６を螺着し、テレビ台２２の天板に挟着するものである。なお、前記上側押え金具３３の上部には、伸縮ポール３の先端部に配設された先端側ネジ固定板５を固定するための穴３７を設ける。【００１９】  図８は図７の固定金具を用いたテレビ台への固定方法を示した側面図であり、薄型テレビ２７をテレビ台２２に固定する方法を示している。この場合、先ず、薄型テレビ２７を載せたテレビ台２２の後端部の天板に、上側押え金具３３と下側押え金具３４にて成る固定金具３２を蝶ネジ３６にて固定する。そして、前記上側押え金具３３の上部にある穴３７と固定ポール２の後端部に配設された後端側ネジ固定板８とをネジ３８にて固定する。次に、伸縮ポール３を回転させながら、薄型テレビ２７の背面にある壁掛け金具取付けネジ部（図示せず）と伸縮ポール３の先端部に配設された先端側ネジ固定板５とをボルト２１にて固定できるように長さ調節を行ない、最適な長さとなったところで前記伸縮ポール３と固定ポール２の連結部に挿着された連結部ポール挟持金具１０にてその長さを保持して固定する。その後、前記伸縮ポール３の先端部に配設された先端側ネジ固定板５と壁掛け金具取付けネジ部とをボルト２１にて固定する。以上により、本考案の薄型テレビ用転倒防止具１を薄型テレビ２７の背面にある壁掛け金具取付けネジ部とテレビ台２２の後端部の天板に固定した固定金具３２に固定することができるため、当該薄型テレビの前後両方向の揺れに対する転倒防止を図ることができる。【００２０】  なお、上記何れの固定方法においても、テレビ台２２と専用取付け台２８の底面部との間に粘着力の大きなゲル状粘着マット２９を敷設することにより当該薄型テレビ２７の底部が前後方向に滑ることによる転倒も確実に防止することができる。
【産業上の利用可能性】
【００２１】  上記説明において、本考案の転倒防止具は薄型テレビ用として説明したが、同様の構造および方法を事務所等における机上のＯＡ機器等に対しても実施することが可能である。
【図面の簡単な説明】
【００２２】
【図１】本考案の薄型テレビ用転倒防止具の一実施例の構成図である。
【図２】図１における支持ポールの先端部構成図である。
【図３】本考案の薄型テレビ用転倒防止具の一実施例の外形図である。
【図４】本考案の薄型テレビ用転倒防止具の一実施例におけるテレビ台への固定方法を示した側面図である。
【図５】本考案の薄型テレビ用転倒防止具の一実施例における壁への固定方法を示した側面図である。
【図６】本考案の薄型テレビ用転倒防止具の一実施例におけるテレビ台への使用形態を示した図である。
【図７】後端側ポール挟持金具を固定する一実施例の固定金具の外形図である。
【図８】図７の固定金具を用いたテレビ台への固定方法を示した側面図である。
【符号の説明】
【００２３】  １  薄型テレビ用転倒防止具
２  固定ポール
３  伸縮ポール
４  先端側ポール挟持金具
５  先端側ネジ固定板
６  穴
７  後端側ポール挟持金具
８  後端側ネジ固定板
９  穴
１０  連結部ポール挟持金具
１１  挟持体
１２  連結板
１３  蝶番
１４  挟持体
１５  連結板
１６  蝶番
１７  挟持体
１８  挟持体
１９  連結板
２０  ネジ
２１  ボルト
２２  テレビ台
２３  固定金具
２４  固定ナット
２５  ネジ穴
２６  ボルト
２７  薄型テレビ
２８  専用取付け台
２９  ゲル状粘着マット
３０  壁
３１  木ネジ
３２  固定金具
３３  上側押え金具
３４  下側押え金具
３５  ネジ穴
３６  蝶ネジ
３７  穴
３８  ネジ
【図１】
0003152510.tif 000003
【図２】
0003152510.tif 000004
【図３】
0003152510.tif 000005
【図４】
0003152510.tif 000006
【図５】
0003152510.tif 000007
【図６】
0003152510.tif 000008
【図７】
0003152510.tif 000009
【図８】
0003152510.tif 000010